(57)【要約】【課題】コンロ本体１の前面に化粧パネル５を装着するビルトイン式コンロであって、コンロ本体の前面に、化粧パネルの所定の辺に沿う外縁部に設けられた被係合部５２４に係合可能な係合子９１を有する、ロック位置とアンロック位置とに移動自在なロック部材９が設けられ、ロック部材のロック位置への移動で被係合部に係合子を係合させることにより化粧パネルがコンロ本体の前面に固定されるものにおいて、化粧パネルの高級感及び固定強度を安価な構造で確保でき、且つ、廃棄時の化粧パネルの使用原材料毎の分別の要求にも応えられるようにする。【解決手段】化粧パネル５は、金属板から成るパネル本体５１と、パネル本体５１の所定の辺に沿う外縁部の裏面に当該外縁部の全長に亘って設けられる、パネル本体５１に着脱自在な合成樹脂製の補強部材５２とで構成され、補強部材５２に被係合部５２４が形成される。【選択図】図３
2016205665.tif 000002
【特許請求の範囲】
【請求項１】
システムキッチンのカウンタトップに開設した開口に落とし込むようにして設置されるコンロ本体を備え、カウンタトップの下で前方に露出するコンロ本体の前面に化粧パネルを装着するビルトイン式コンロであって、コンロ本体の前面に、化粧パネルの所定の辺に沿う外縁部に設けられた被係合部に係合可能な係合子を有するロック部材が設けられ、ロック部材は、係合子が被係合部に係合するロック位置と係合子が被係合部から離脱するアンロック位置とに移動自在であって、ロック部材のロック位置への移動で被係合部に係合子を係合させることにより化粧パネルがコンロ本体の前面に固定されるものにおいて、
化粧パネルは、金属板から成るパネル本体と、パネル本体の所定の辺に沿う外縁部の裏面に当該外縁部の全長に亘って設けられる、パネル本体に着脱自在な合成樹脂製の補強部材とで構成され、この補強部材に被係合部が形成されることを特徴とするビルトイン式コンロ。
【発明の詳細な説明】
【技術分野】
【０００１】
本発明は、システムキッチンのカウンタトップに開設した開口に落とし込むようにして設置されるコンロ本体を備えるビルトイン式コンロに関する。
【背景技術】
【０００２】
ビルトイン式コンロでは、カウンタトップの下で前方に露出するコンロ本体の前面に化粧パネルが装着されるが、化粧パネルを装着した状態でコンロ本体をカウンタトップの開口に落とし込んだのでは、化粧パネルが開口の周縁等に引っ掛かって傷が付くことがある。そのため、従来、コンロ本体の前面に、化粧パネルの所定の辺に沿う外縁部に設けられた被係合部に係合可能な係合子を有するロック部材を設けたビルトイン式コンロが知られている(例えば、特許文献１参照)。このロック部材は、係合子が被係合部に係合するロック位置と係合子が被係合部から離脱するアンロック位置とに移動自在である。そして、化粧パネルを取外した状態でコンロ本体をカウンタトップの開口に落とし込んだ後、コンロ本体の前面に化粧パネルをセットした状態でロック部材をアンロック位置からロック位置に移動させることにより、被係合部に係合子を係合させて化粧パネルをコンロ本体の前面に固定するようにしている。
【０００３】
ここで、化粧パネルは一般的に合成樹脂製であるが、高級感を醸し出すために、化粧パネルとして、合成樹脂製のパネル本体の前面に光沢のある金属板を貼り合せたものも知られている。ところで、昨今は、廃棄の際に使用原材料毎の分別が要求されている。然し、合成樹脂製のパネル本体の前面に金属板を貼り合せた化粧パネルを使用したのでは、パネル本体と金属板とを分離することが困難で、上記の要求に応えることができない。
【０００４】
そこで、化粧パネルを金属板のみで形成することも考えられる。然し、これでは、化粧パネルの固定強度を確保するために、被係合部に係合子を強く係合させると、被係合部に作用する応力で被係合部を形成した金属板の部分が撓んで、体裁が悪くなってしまう。
【先行技術文献】
【特許文献】
【０００５】
【特許文献１】特開２００８−２８６４８７号公報
【発明の概要】
【発明が解決しようとする課題】
【０００６】
本発明は、以上の点に鑑み、化粧パネルの高級感及び固定強度を安価な構造で確保でき、且つ、廃棄時の化粧パネルの使用原材料毎の分別の要求にも応えられるようにしたビルトイン式コンロを提供することをその課題としている。
【課題を解決するための手段】
【０００７】
上記課題を解決するために、本発明は、システムキッチンのカウンタトップに開設した開口に落とし込むようにして設置されるコンロ本体を備え、カウンタトップの下で前方に露出するコンロ本体の前面に化粧パネルを装着するビルトイン式コンロであって、コンロ本体の前面に、化粧パネルの所定の辺に沿う外縁部に設けられた被係合部に係合可能な係合子を有するロック部材が設けられ、ロック部材は、係合子が被係合部に係合するロック位置と係合子が被係合部から離脱するアンロック位置とに移動自在であって、ロック部材のロック位置への移動で被係合部に係合子を係合させることにより化粧パネルがコンロ本体の前面に固定されるものにおいて、化粧パネルは、金属板から成るパネル本体と、パネル本体の所定の辺に沿う外縁部の裏面に当該外縁部の全長に亘って設けられる、パネル本体に着脱自在な合成樹脂製の補強部材とで構成され、この補強部材に被係合部が形成されることを特徴とする。
【０００８】
本発明によれば、化粧パネルのパネル本体を金属板で形成することにより高級感を醸し出すことができる。また、化粧パネルの固定強度を確保するため、ロック部材のロック位置への移動で係合子を被係合部に強く係合させても、被係合部は合成樹脂製の補強部材に形成され、しかも、パネル本体の所定の辺に沿う外縁部の全長に亘って補強部材が存在するため、被係合部に作用する応力でパネル本体が撓んで体裁を損なうことはない。更に、パネル本体の裏面全体に補強部材を設けるものと異なり、補強部材は小さくて済み、化粧パネル全体のコストを安くできる。従って、化粧パネルの高級感及び固定強度を安価な構造で確保できる。また、補強部材はパネル本体に着脱自在であるため、廃棄時にパネル本体と補強部材とを簡単に分離でき、化粧パネルの使用原材料毎の分別の要求にも応えられる。
【図面の簡単な説明】
【０００９】
【図１】本発明の実施形態のビルトイン式コンロの斜視図。
【図２】図１のＩＩ−ＩＩ線で切断した切断側面図。
【図３】(ａ)実施形態のコンロの化粧パネルの裏面側から見た斜視図、(ｂ)実施形態のコンロの化粧パネルを取外した状態の要部の斜視図。
【発明を実施するための形態】
【００１０】
図１、図２を参照して、本発明の実施形態のビルトイン式コンロは、システムキッチンのカウンタトップＣＴに開設した開口ＣＴａに落とし込むようにして設置されるコンロ本体１と、コンロ本体１を上方から覆うようにしてカウンタトップＣＴに載置される天板２と、天板２上に突出する前側左右２個と後側１個の計３個のコンロバーナ３と、コンロ本体１内に組み込んだグリル４とを備えている。また、コンロ本体１の左右各側の側面の前部には、コンロ本体１の設置後にエンドピース１１が取付けられる。
【００１１】
カウンタトップＣＴの下で前方に露出するコンロ本体１の前面の横方向中央部にはグリル扉４１が配置される。また、コンロ本体１の設置後にエンドピース１１を取付けてから、コンロ本体１の前面の左右両側の上部に化粧パネル５，５と、左右両側の下部に蓋板６，６とが夫々装着される。各化粧パネル５と各蓋板６には、エンドピース１１を前方から覆う部分が延設されている。また、各化粧パネル５には、コンロ本体１の前面に設置したコンロバーナ３やグリルバーナ(図示せず)用の点消火ボタン７と火力調節レバー８を挿通する孔５ａ，５ｂが形成されている。また、各蓋板６は、その下端を支点にして前方に揺動可能であり、この揺動で蓋板６の背面に連結した操作盤(図示せず)が前方に露出する。
【００１２】
次に、図３(ａ)(ｂ)を参照して、右側の化粧パネル５の構造及びその取付構造について説明する。尚、左側の化粧パネル５の構造及びその取付構造は右側の化粧パネル５と同一であるため、その説明は省略する。
【００１３】
化粧パネル５は、アルミ合金やステンレス等の光沢のある金属板から成るパネル本体５１と、パネル本体５１の上側の辺に沿う外縁部、即ち、パネル本体５１の上縁部の裏面に当該上縁部の全長に亘って設けられる、パネル本体５１に着脱自在な合成樹脂製の補強部材５２とで構成されている。より具体的に説明すれば、パネル本体５１の上縁に後方への曲げ縁部５１１を曲成して、この曲げ縁部５１１に、横方向に離隔させて一対の係合孔５１２，５１２を形成している。また、補強部材５２は、曲げ縁部５１１の下面(ここもパネル本体５１の上縁部の裏面に含まれる)に当接する上板部５２１を有しており、この上板部５２１に、曲げ縁部５１１の上面に係合する左右一対のフック部５２２，５２２と、各係合孔５１２に下方から係合する各爪部５２３とを形成している。そして、各爪部５２３を下方に押し下げて各係合孔５１２から離脱させることにより、補強部材５２をパネル本体５１から取外すことができるようにしている。
【００１４】
また、補強部材５２の上板部５２１の下面には、下方に突出する横方向に離隔した一対の突起から成る被係合部５２４，５２４が突設されている。そして、コンロ本体１の前面に、各被係合部５２４の前面に横方向一方(図３(ａ)の左方)から係合可能な突起から成る各係合子９１を上面に突設したロック部材９を設けている。ロック部材９は、各係合子９１が各被係合部５２４の前面に係合する横方向他方(図３(ｂ)の左方)のロック位置と各係合子９１が各被係合部５２４から離脱する横方向一方(図３(ｂ)の右方)のアンロック位置とに移動自在である。尚、ロック部材９の上面には、ロック部材９をロック位置とアンロック位置とに移動操作する操作ピン９２が突設されており、曲げ縁部５１１及び上板部５２１に操作ピン９２を横方向に移動自在に受け入れる切欠き５１３，５２５が形成されている。
【００１５】
また、パネル本体５１の下縁に形成した後方への曲げ縁部５１４に、コンロ本体１の前面に設けた左右一対の爪部１２，１２に係合する左右一対の係合孔５１５，５１５が形成されている。化粧パネル５の装着に際しては、先ず、各係合孔５１５を各爪部１２に係合させた状態で化粧パネル５をコンロ本体１の前面にセットし、次に、操作ピン９２に指を掛けて、ロック部材９をアンロック位置からロック位置に移動させ、各係合子９１を各被係合部５２４の前面に係合させる。これにより、化粧パネル５が後方に引き寄せられ、コンロ本体１の前面に化粧パネル５が固定される。
【００１６】
本実施形態によれば、化粧パネル５のパネル本体５１を金属板で形成することにより高級感を醸し出すことができる。また、化粧パネル５の固定強度を確保するため、ロック部材９のロック位置への移動で係合子９１を被係合部５２４に強く係合させても、被係合部５２４は合成樹脂製の補強部材５２に形成されるから、パネル本体５１に被係合部５２４からの直接的な応力は作用しない。また、補強部材５２がパネル本体５の上縁部の一部のみに取付けられていると、被係合部５２４に作用する応力でパネル本体５１の上縁部の補強部材５２の取付け部分が撓んでしまう可能性があるが、本実施形態では、補強部材５２がパネル本体５１の上縁部の全長に亘って存在するため、被係合部５２４に作用する応力によるパネル本体５１の上縁部の撓みは生じず、パネル本体５１の上縁部の撓みで体裁を損なうことはない。更に、パネル本体５１の裏面全体に補強部材を設けるものと異なり、補強部材５２は小さくて済み、化粧パネル５全体のコストを安くできる。従って、化粧パネル５の高級感及び固定強度を安価な構造で確保できる。また、補強部材５２はパネル本体５１に着脱自在に取り付けられるため、廃棄時にパネル本体５１と補強部材５２とを簡単に分離でき、化粧パネル５の使用原材料毎の分別の要求にも応えられる。
【００１７】
以上、本発明の実施形態について図面を参照して説明したが、本発明はこれに限定されない。例えば、上記実施形態では、補強部材５２をパネル本体５１の上縁部の裏面に当接させているが、パネル本体の横方向一方の辺に沿う外縁部、即ち、横方向一方の側縁部の裏面に当接するように補強部材を設けることも可能である。
【符号の説明】
【００１８】
ＣＴ…カウンタトップ、ＣＴａ…開口、１…コンロ本体、５…化粧パネル、５１…パネル本体、５２…補強部材、５２４…被係合部、９…ロック部材、９１…係合子。
【図１】
2016205665.tif 000003
【図２】
2016205665.tif 000004
【図３】
2016205665.tif 000005